(57)【特許請求の範囲】
【請求項１】
内筒金具と、該内筒金具の外周面に加硫接着された筒状のゴム弾性体とを有し、該ゴム弾性体は、それぞれが径方向外方に環状に突出した軸方向一端の第１鍔部及び軸方向他端の第２鍔部と、それら第１鍔部と第２鍔部との間の筒状のゴム本体部とを有しており、
相手部材の、径方向外方に突出した鍔部を軸方向両端部に有していない圧入筒部に対して軸方向に圧入され、前記ゴム本体部が前記内筒金具と該圧入筒部との間に挟まれ、前記第１鍔部と第２鍔部とが該圧入筒部の軸方向外側に位置する状態に該相手部材に圧入組付けされるとともに、該圧入に際しての圧入方向が、前記第１鍔部を圧入の前進側端とする一方向に限定された形態の両端鍔部付きの防振ブッシュであって、
前記第２鍔部の周方向の少なくとも一部が、前記第１鍔部よりも径方向外方に突出した形状をなしており、
該第２鍔部における該第１鍔部よりも径方向外方に突出した部分は、前記圧入組付状態で前記相手部材における前記圧入筒部の外周端よりも径方向内側に位置するものとなしてあることを特徴とする防振ブッシュ。
【請求項２】
請求項１において、前記第２鍔部は全周に亘って前記第１鍔部よりも径方向外方に突出した形状をなしていることを特徴とする防振ブッシュ。
【請求項３】
請求項１において、前記第２鍔部の周方向の一部のみが前記第１鍔部よりも径方向外方に突出した形状をなしていることを特徴とする防振ブッシュ。
【請求項４】
請求項１〜３の何れかにおいて、前記第１鍔部は、周方向の一部が他部に対して軸方向に突出した形状をなしており、該一部の軸方向の厚みが該他部よりも厚肉をなしていることを特徴とする防振ブッシュ。
【請求項５】
内筒金具と、該内筒金具の外周面に加硫接着された筒状のゴム弾性体とを有し、該ゴム弾性体は、それぞれが径方向外方に環状に突出した軸方向一端の第１鍔部及び軸方向他端の第２鍔部と、それら第１鍔部と第２鍔部との間の筒状のゴム本体部とを有しており、
相手部材の圧入筒部に対して軸方向に圧入され、前記ゴム本体部が前記内筒金具と前記圧入筒部との間に挟まれ、前記第１鍔部と第２鍔部とが該圧入筒部の軸方向外側に位置する状態に該相手部材に圧入組付けされるとともに、該圧入に際しての圧入方向が、前記第１鍔部を圧入の前進側端とする一方向に限定された形態の両端鍔部付きの防振ブッシュであって、
前記第２鍔部の周方向の少なくとも一部が、前記第１鍔部よりも径方向外方に突出した形状をなしている両端鍔部付きの防振ブッシュを前記相手部材に組み付けて防振ブッシュ組付体を製造するに際して、
前記圧入筒部の圧入孔に向って内面が漸次縮径し、前記第１鍔部を該圧入孔に向けて挿入（圧入）案内するガイド治具をセットするとともに、前記第２鍔部の側で前記防振ブッシュを前記内筒金具の端部において押込治具にて保持し、
該保持した防振ブッシュを前記第１鍔部の側から前記圧入筒部に対して、前記第２鍔部の前記圧入方向とは逆方向への弾性反り変形を伴って前記第１鍔部が該圧入筒部から突き出す位置まで設定圧入ストローク分押し込んで圧入し、
次いで前記第１鍔部の側から前記防振ブッシュを、前記弾性反り変形した第２鍔部を形状復元させながら前記圧入方向とは逆方向に設定戻しストローク分戻して、前記防振ブッシュの前記圧入筒部への組付けを行うことを特徴とする防振ブッシュ組付体の製造方法。
【請求項６】
請求項５において、前記防振ブッシュが、前記第１鍔部における周方向の一部が他部に対して軸方向に突出した形状をなしていて、該一部が部分的に軸方向の厚みが厚い厚肉部をなしたものであり、
前記第２鍔部は、軸方向外方の端面に前記圧入筒部に対する周方向の位置決用の位置決凸部を有するものとなすとともに、
前記押込治具には、前記内筒金具の軸方向端面を磁力にて吸着する磁石及び前記位置決凸部に嵌り合う位置決凹部を備え、該位置決凸部が該位置決凹部に嵌り込んだときに前記磁石にて前記内筒金具を吸着可能なものとなしてあることを特徴とする防振ブッシュ組付体の製造方法。
【請求項７】
請求項６において、前記位置決用凸部は前記内筒金具より径方向に離れた位置から径方向外方に延びる形状で設けておき、該位置決凸部と該内筒金具との間に空間形成しておくことを特徴とする防振ブッシュ組付体の製造方法。
【発明の詳細な説明】
【技術分野】
【０００１】
この発明は、自動車のサスペンションと車体側との連結部に用いられる防振ブッシュ等に好適に適用可能な両端鍔部付きの圧入タイプの防振ブッシュ及び防振ブッシュ組付体の製造方法に関する。
【背景技術】
【０００２】
この種両端鍔部付きの圧入タイプの防振ブッシュは、従来から一対の部材の防振連結用として広く適用されている。
自動車のサスペンションと車体側との連結部に用いられる防振ブッシュはその代表的な適用例である。
例えば下記特許文献１に、内筒金具と内筒金具の外周面に加硫接着された筒状のゴム弾性体とを有する防振ブッシュを自動車のサスペンションと車体側との防振連結用として用いた例が開示されている。
【０００３】
図１０は自動車のサスペンションと車体側との防振連結用として防振ブッシュを適用した具体例を示している。
図１０において２００はタイヤ、２０２はフロント側のサスペンションアームで、図中右側の部分が前側の分岐アーム２０４と後側の分岐アーム２０５とに分岐しており、それぞれの先端部に円筒形状をなす圧入筒部２０６，２０８が構成されている。
そして圧入筒部２０８に防振ブッシュ２１２が上下方向に縦置式に圧入され、組み付けられている。
また前側の圧入筒部２０６に防振ブッシュ２１０が前後方向に横置式に圧入され、組み付けられている。
尚図１０中矢印Ａで示す方向が車両前側となる。
【０００４】
図１１（Ａ）に示しているように防振ブッシュ２１０は、内筒金具２１４と、その外周面に加硫接着された筒状のゴム弾性体２１６とを有しており、そのゴム弾性体２１６の外周面においてサスペンションアーム２０２の圧入筒部２０６に圧入され、保持されている。
【０００５】
２１８は車体側のブラケットで、一対の挟持部２２０とそれらを連結する連結部２２２とを有するコ字形状の保持部２２４を有しており、防振ブッシュ２１０の内筒金具２１４がそれら挟持部２２０にて軸方向に挟み込まれる状態にボルト２２６，ナット２２８にて車体側ブラケット２１８に固定されている。
【０００６】
ゴム弾性体２１６は、それぞれが径方向外方に環状に突出した軸方向一端の第１鍔部２３０及び第２鍔部２３２と、それらの間の筒状のゴム本体部２３４とを有している。
またゴム本体部２３４は、図１１（Ｂ）に示しているように圧入前の自由形状の状態において軸方向の中間部が全周に亘り径方向外方に膨出した形状をなしていて、その膨出部２３６と第１鍔部２３０及び第２鍔部２３２との間の部分が全周に亘り薄肉部２３８をなしており、その薄肉部２３８の外周側に環状の凹部２４０を形成している。
【０００７】
ゴム本体部２３４は、圧入時にその膨出部２３６の一部を凹部２４０に逃すようにして圧縮弾性変形し、その弾性変形による復元力に基づいて圧入筒部２０６の内面との間に大きな摩擦力を生ぜしめる。
而して圧入状態において第１鍔部２３０と第２鍔部２３２とは、圧入筒部２０６の軸方向外側に位置した状態となる。
【０００８】
これら第１鍔部２３０と第２鍔部２３２とは、圧入筒部２０６とゴム弾性体２１６との間にゴミ等の異物が侵入するのを防止する働きの外、次のような働きを有する。
即ち第１鍔部２３０は、ブレーキ時においてサスペンションアーム２０２が車体側ブラケット２１８に対して図１０中下向きに一定量相対変位したとき、図１１（Ａ）の車体側ブラケット２１８の図中下側の挟持部２２０に当接してストッパ作用をなし、同方向にサスペンションアーム２０２が大きく相対変位するのを規制作用する。
【０００９】
一方第２鍔部２３２は、車両発進時においてサスペンションアーム２０２が図１０中上向きに一定量相対変位したときに、図１１（Ａ）の車体側ブラケット２１８の図中上側の挟持部２２０に当接してストッパ作用をなし、サスペンションアーム２０２が図中上向きに大きく相対変位するのを規制作用する。
これら第１鍔部２３０及び第２鍔部２３２は、軸方向の厚みを厚くするほど早期に挟持部２２０に当接してストッパ作用する。
【００１０】
図１２は、サスペンションアーム２０２の圧入筒部２０６に対して防振ブッシュ２１０を圧入する際の圧入方法を模式的に示している。
２４４は押込治具で、ここでは防振ブッシュ２１０を押込治具２４４にセットしておき、そして圧入装置２４２にて押込治具２４４を図中下向きに押し、防振ブッシュ２１０を圧入筒部２０６に対して圧入する。
【００１１】
図１２から分るように防振ブッシュ２１０の場合、サスペンションアーム２０２の圧入筒部２０６に対する圧入方向が一方向に限定されてしまう。
即ち防振ブッシュ２１０の圧入筒部２０６に対する圧入は図中上側から下向き、即ちサスペンションアーム２０２の前側から後側に向けてだけ圧入可能で、その逆方向即ち圧入筒部２０６に対して図中下側から上側に向けて圧入するといったことができない。
【００１２】
図１２から明らかなように圧入筒部２０６の図中下側、即ち車両前後方向における後側には防振ブッシュ２１０を圧入筒部２０６に向けて圧入するために必要な十分なスペースが得られないからである。
従って防振ブッシュ２１０は、第１鍔部２３０を前進側端とする一方向にのみ圧入筒部２０６に対して圧入可能である。
【００１３】
図１３はその圧入の際の作用の詳細を具体的に示したものである。
図１３（Ａ）に示しているように、第２鍔部２３２の肉厚が薄い防振ブッシュの場合（従来のものは肉厚が薄い）、これを押込治具２４４にて前進側端の第１鍔部２３０を圧入筒部２０６から軸方向に突き出させるのに必要な設定圧入ストローク分だけ圧入筒部２０６に対して図中下向きに圧入すると、このとき第２鍔部２３２が図中上向きに弾性反り変形することによって、本体ゴム部２３４だけが相手側の圧入筒部２０６内に圧入される。即ち第２鍔部２３２は圧入筒部２０６内部に入り込むことなく、圧入筒部２０６の軸方向外側に残る。
【００１４】
そしてその後において、今度は防振ブッシュ２１０の内筒金具２１４を図中下側から上向きに微小な設定戻しストローク分だけ圧入方向とは逆方向の上向きに戻し、上記弾性反り変形した第２鍔部２３２を形状復帰させるとともに、この戻しによって最終的に防振ブッシュ２１０を圧入筒部２０６に対して軸方向に適正な組付位置に位置させる。
この状態において第１鍔部２３０と第２鍔部２３２とは、良好に圧入筒部２０６の軸方向の各端面に対して弾性的に密着した状態となる。
ここで上記の戻しの操作は、その戻しのストロークが数ｍｍ程度の微小なものであるため、図１２に示すように例えば板状の戻し具２５０を図１２において上向きに押し上げることで戻しの操作を行うことが可能である。
尚図１３において２４６は圧入の際のガイドをなすガイド治具で、内面が圧入筒部２０６の圧入孔に向って漸次縮径した形状をなしている。
【００１５】
ところが車両発進時において第２鍔部２３２によるストッパ機能を高めるべく、第２鍔部２３２の肉厚を全体的に厚くしたところ、上記設定圧入ストローク分だけ防振ブッシュ２１０を圧入筒部２０６に対して押し込み、圧入したときに、第２鍔部２３２が圧入筒部２０６の外側に残らずに圧入筒部２０６の内部に入り込んでしまうといった現象を生じた。
【００１６】
これは、第２鍔部２３２の肉厚を全体的に厚くしたことによって、防振ブッシュ２１０の圧入筒部２０６に対する圧入時に、第２鍔部２３２の弾性反り変形に対する抵抗が大となって、図１３（Ｂ）に示すように第２鍔部２３２が弾性反り変形を生じないで縮径方向に弾性圧縮変形してしまい、結果として第２鍔部２３２が圧入筒部２０６の外側に残らずに、ゴム本体部２３４とともに圧入筒部２０６内部に入り込んでしまうことにより生ずる現象である。
【００１７】
圧入筒部２０６に対する防振ブッシュ２１０の圧入組付けを行う際、設定圧入ストローク分だけ圧入した後に、今度は圧入方向とは逆方向に微小な戻しストローク分だけ圧入戻しを行うが、一旦圧入筒部２０６内部に入り込んだ第２鍔部２３２は、その戻しの操作によって圧入筒部２０６から押し出されず、依然として圧入筒部２０６の内部に入り込んだ状態に残ってしまう。
【００１８】
この場合、戻しのストロークを大きく取るといったことも考えられるが、実際にはこうしたことは困難である。
１つには、そのようにすると圧入筒部２０６に対する防振ブッシュ２１０の軸方向の組付位置が適正位置からずれてしまうといった問題を生ずる。
また圧入方向の前進側端となる第１鍔部２３０についても、ブレーキ作用時のストッパ機能を高めるために周方向全体に亘って肉厚を厚くしたとき、圧入操作後の戻しの際に過剰なストロークで圧入戻しを行うと、今度はその戻しの際に第１鍔部２３０が縮径方向に圧縮弾性変形を起して圧入筒部２０６の内部に入り込んでしまい易い。
【００１９】
この点は、第１鍔部２３０の周方向の一部分を軸方向に厚肉となした場合においても同様に生じ得る。
例えば車両のブレーキ時において第１鍔部２３０によるストッパ機能を高める（早期からストッパ作用させる）一方、図１０に示す前側の防振ブッシュ２１０を中心としたサスペンションアーム２０２の図中Ｐ方向（及びその反対方向）の回動によって防振ブッシュ２１０に加わるこじり方向の荷重入力時の防振ブッシュ２１０のＰ方向のこじりばね特性を上下方向（紙面垂直方向）のこじりばね特性よりも軟らかくするために、防振ブッシュ２１０における第１鍔部２３０の周方向の一部、具体的には車両の上下方向の上部を部分的に他部よりも軸方向に厚肉とするといったことが行われており、そのような場合にはその部分的な軸方向の厚肉部の存在によって、防振ブッシュ２１０を過剰なストロークで圧入操作後の戻しを行ったとき、第１鍔部２３０が戻し方向と逆方向に反り変形せずに縮径方向に圧縮弾性変形して圧入筒部２０６の内部に入り込んでしまう可能性がある。
尚上記のこじり方向の荷重の入力は、車両の急発進および急停止のとき等に生ずる。
【００２０】
尚本発明に関連する先行技術として、下記特許文献２に防振ブッシュについての発明が開示されている。そこには防振ブッシュに一対の内筒金具から径方向外方に向けて位置決用のゴム凸部を設ける一方、圧入の際の支持治具の支持穴に、対応する一対の位置決穴を設けて、それらゴム凸部と位置決穴との嵌合により防振ブッシュの圧入時に相手側の圧入筒部に対する周方向の位置決めをなすようにした点が開示されている。
【先行技術文献】
【特許文献】
【００２１】
【特許文献１】特開２００３−３４３６２５号公報
【特許文献２】特開２００６−９０４０９号公報
【発明の概要】
【発明が解決しようとする課題】
【００２２】
本発明は以上のような事情を背景とし、相手部材の圧入筒部に対する圧入の際に軸方向両端の一対の鍔部を良好に圧入筒部の軸方向の両外側に位置させておくことのできる防振ブッシュ及びその防振ブッシュと相手部材との組付体の製造方法を提供することを目的としてなされたものである。
【課題を解決するための手段】
【００２３】
而して請求項１は防振ブッシュに関するもので、内筒金具と、該内筒金具の外周面に加硫接着された筒状のゴム弾性体とを有し、該ゴム弾性体は、それぞれが径方向外方に環状に突出した軸方向一端の第１鍔部及び軸方向他端の第２鍔部と、それら第１鍔部と第２鍔部との間の筒状のゴム本体部とを有しており、相手部材の、径方向外方に突出した鍔部を軸方向両端部に有していない圧入筒部に対して軸方向に圧入され、前記ゴム本体部が前記内筒金具と該圧入筒部との間に挟まれ、前記第１鍔部と第２鍔部とが該圧入筒部の軸方向外側に位置する状態に該相手部材に圧入組付けされるとともに、該圧入に際しての圧入方向が、前記第１鍔部を圧入の前進側端とする一方向に限定された形態の両端鍔部付きの防振ブッシュであって、前記第２鍔部の周方向の少なくとも一部が、前記第１鍔部よりも径方向外方に突出した形状をなしており、該第２鍔部における該第１鍔部よりも径方向外方に突出した部分は、前記圧入組付状態で前記相手部材における前記圧入筒部の外周端よりも径方向内側に位置するものとなしてあることを特徴とする。
【００２４】
請求項２のものは、請求項１において、前記第２鍔部は全周に亘って前記第１鍔部よりも径方向外方に突出した形状をなしていることを特徴とする。
【００２５】
請求項３のものは、請求項１において、前記第２鍔部の周方向の一部のみが前記第１鍔部よりも径方向外方に突出した形状をなしていることを特徴とする。
【００２６】
請求項４のものは、請求項１〜３の何れかにおいて、前記第１鍔部は、周方向の一部が他部に対して軸方向に突出した形状をなしており、該一部の軸方向の厚みが該他部よりも厚肉をなしていることを特徴とする。
【００２７】
請求項５は防振ブッシュ組付体の製造方法に関するもので、内筒金具と、該内筒金具の外周面に加硫接着された筒状のゴム弾性体とを有し、該ゴム弾性体は、それぞれが径方向外方に環状に突出した軸方向一端の第１鍔部及び軸方向他端の第２鍔部と、それら第１鍔部と第２鍔部との間の筒状のゴム本体部とを有しており、相手部材の圧入筒部に対して軸方向に圧入され、前記ゴム本体部が前記内筒金具と前記圧入筒部との間に挟まれ、前記第１鍔部と第２鍔部とが該圧入筒部の軸方向外側に位置する状態に該相手部材に圧入組付けされるとともに、該圧入に際しての圧入方向が、前記第１鍔部を圧入の前進側端とする一方向に限定された形態の両端鍔部付きの防振ブッシュであって、前記第２鍔部の周方向の少なくとも一部が、前記第１鍔部よりも径方向外方に突出した形状をなしている両端鍔部付きの防振ブッシュを前記相手部材に組み付けて防振ブッシュ組付体を製造するに際して、前記圧入筒部の圧入孔に向って内面が漸次縮径し、前記第１鍔部を該圧入孔に向けて挿入（圧入）案内するガイド治具をセットするとともに、前記第２鍔部の側で前記防振ブッシュを前記内筒金具の端部において押込治具にて保持し、該保持した防振ブッシュを前記第１鍔部の側から前記圧入筒部に対して、前記第２鍔部の前記圧入方向とは逆方向への弾性反り変形を伴って前記第１鍔部が該圧入筒部から突き出す位置まで設定圧入ストローク分押し込んで圧入し、次いで前記第１鍔部の側から前記防振ブッシュを、前記弾性反り変形した第２鍔部を形状復元させながら前記圧入方向とは逆方向に設定戻しストローク分戻して、前記防振ブッシュの前記圧入筒部への組付けを行うことを特徴とする。
【００２８】
請求項６のものは、請求項５において、前記防振ブッシュが、前記第１鍔部における周方向の一部が他部に対して軸方向に突出した形状をなしていて、該一部が部分的に軸方向の厚みが厚い厚肉部をなしたものであり、前記第２鍔部は、軸方向外方の端面に前記圧入筒部に対する周方向の位置決用の位置決凸部を有するものとなすとともに、前記押込治具には、前記内筒金具の軸方向端面を磁力にて吸着する磁石及び前記位置決凸部に嵌り合う位置決凹部を備え、該位置決凸部が該位置決凹部に嵌り込んだときに前記磁石にて前記内筒金具を吸着可能なものとなしてあることを特徴とする。
【００２９】
請求項７のものは、請求項６において、前記位置決用凸部は前記内筒金具より径方向に離れた位置から径方向外方に延びる形状で設けておき、該位置決凸部と該内筒金具との間に空間形成しておくことを特徴とする。
【発明の作用・効果】
【００３０】
以上のように請求項１のものは、相手部材の圧入筒部に対して第１鍔部の側から軸方向に圧入されて組み付けられる防振ブッシュにおいて、第１鍔部とは反対側の第２鍔部の周方向の少なくとも一部を、第１鍔部よりも径方向外方に突出した形状となしたものである。
【００３１】
この請求項１によれば、防振ブッシュを相手部材の圧入筒部に第１鍔部の側から押し込んで圧入したときに、第２鍔部の周方向の一部が第１鍔部よりも径方向外方に突出した形状とされていることによって、第２鍔部の縮径方向の圧縮弾性変形を抑制できる。
従って第２鍔部の肉厚を厚くした場合においても、圧入時において第２鍔部を良好に圧入方向とは反対方向に弾性反り変形させることが可能となり、そのことによって第２鍔部を圧入筒部の軸方向外側に残しておくことができるようになる。
これにより防振ブッシュの圧入筒部への圧入を良好に行うことが可能となる。
【００３２】
この請求項１ではまた、第２鍔部における第１鍔部よりも径方向外方に突出した部分が、圧入組付状態で相手部材の圧入筒部の外周端よりも径方向内側に位置するように、径方向外方への突出寸法を設定しておく。
【００３３】
第２鍔部の、第１鍔部よりも径方向外方に突出した部分が、圧入筒部の外周端よりも径方向外側にはみ出していると、そのはみ出した部分が圧入筒部の外周端によって傷付けられ、場合によって亀裂が入ったり、切れてしまったりする恐れが生ずるが、この請求項１によればそうしたことを防ぐことができる。
【００３４】
この場合において、第２鍔部は全周に亘って第１鍔部よりも径方向外方に突出した形状となしておくことができる（請求項２）。
このようにすれば、圧入筒部への防振ブッシュの圧入時に、第２鍔部の縮径方向の圧縮弾性変形による相手筒部への入り込みをより効果的に防ぐことができる。
【００３５】
一方において本発明では、第２鍔部の周方向の一部のみを第１鍔部よりも径方向外方に突出した形状となしておくことができる（請求項３）。
この場合においても周方向の一部の径方向外方への突出形状によって、第２鍔部が縮径方向の圧縮弾性変形により圧入筒部の内部に全体的に入り込むのを有効に防止し、第２鍔部を反り変形する方向に弾性変形させ得て、圧入時に第２鍔部を圧入筒部の軸方向外側に残すようにすることができる。
【００３６】
この請求項３においては、請求項２に従って第１鍔部を全周に亘って第１鍔部よりも径方向外方に突出させる場合に比べて、第２鍔部成形のための材料を節減し、また重量を軽量化できる利点が得られる。
【００３７】
本発明は、第１鍔部の周方向の一部が他部に対して軸方向に突出した形状をなし、その一部の軸方向の厚みが他部よりも厚肉をなしている防振ブッシュに適用して効果の大なるものである（請求項４）。
【００３８】
このように第１鍔部が、軸方向に厚肉をなす部分的な厚肉部を有している場合、圧入操作後の戻しの際に戻し量を大きくすると第１鍔部が圧入筒部の内部に入り込み易くなる。
従って圧入操作後の戻し量を多くすることで、圧入筒部に入り込んだ第２鍔部を圧入筒部から外側に押し戻すといったことが難しい。
【００３９】
しかるに本発明では圧入時における第２鍔部の圧入筒部への入り込みを効果的に防ぐことができるため、圧入戻しのストロークを微小且つ適正ストロークとしながら、第２鍔部を圧入筒部の外側に位置させた状態に防振ブッシュを組み付けることができる。
【００４０】
次に請求項５は、請求項１の防振ブッシュを相手部材の圧入筒部に圧入組付けして成る防振ブッシュ組付体の製造方法に関するもので、この請求項５に従って防振ブッシュ組付体を製造することにより、圧入方向の後側の端となる第２鍔部が、圧入時に圧入筒部内に入り込んでしまうのを有効に防止することができ、防振ブッシュを圧入筒部に対し良好且つ適正に組付状態とすることができる。
【００４１】
請求項６は請求項４の防振ブッシュ、詳しくは第１鍔部における周方向の一部が他部に対して軸方向に突出した形状をなし、その一部が他部に対して軸方向の厚みが厚い部分的な厚肉形状をなしている場合の、防振ブッシュ組付体の製造方法に請求項５の製造方法を適用したもので、この請求項６の製造方法では、第２鍔部の軸方向外方の端面に、圧入筒部に対する周方向の位置決めのための位置決凸部を設ける一方、押込治具には、内筒金具の軸方向端面を磁力にて吸着する磁石、及び上記位置決凸部に嵌り合う位置決凹部を備えておき、そして位置決凸部が位置決凹部に嵌り込んだときに磁石にて内筒金具を吸着可能となしたものである。
【００４２】
この請求項６の製造方法によれば、第２鍔部に設けた位置決凸部と押込治具に備えた位置決凹部とによって軸直角方向の、例えば車両上下方向と左右方向とでばね特性及び形状に異方性を有する防振ブッシュを、圧入筒部に対し適正に周方向の相対位置を合せた状態に圧入組付けできるのに加えて、次の利点が得られる。
【００４３】
即ち防振ブッシュが圧入筒部に対して適正に周方向に位置決めされていないと、押込治具にて防振ブッシュの内筒金具を吸着することができず、従って防振ブッシュの周方向位置を圧入筒部に対し正しく位置合せしないまま、即ち誤った周方向位置で圧入ブッシュを圧入筒部に組み付けてしまうのを確実に防ぐことができる。
【００４４】
この請求項６の製造方法においては、上記位置決凸部を、内筒金具よりも径方向に離れた位置から径方向外方に延びる形状で設けておき、その位置決凸部と内筒金具との間に空間形成しておくことができる（請求項７）。
【００４５】
位置決凸部をこのような形態で設けておけば、防振ブッシュを圧入筒部に対して圧入する際、第２鍔部の軸方向端面に設けた位置決凸部が第２鍔部の反り変形を阻害してしまうのを有効に防止することができる。
【図面の簡単な説明】
【００４６】
【図１】本発明の一実施形態の防振ブッシュを自由形状状態で示した斜視図である。
【図２】図１の防振ブッシュの平面図、側面図及び断面側面図である。
【図３】図２のイーイ断面図である。
【図４】同実施形態の防振ブッシュを車両組付け状態で示した図である。
【図５】同実施形態の防振ブッシュのこじり方向の変位説明図である。
【図６】防振ブッシュの押込治具の図である。
【図７】同実施形態の防振ブッシュ組付体の製造方法の要部工程の説明図である。
【図８】図７に続く要部工程の説明図である。
【図９】本発明の他の実施形態の防振ブッシュの図である。
【図１０】防振ブッシュを自動車のサスペンションと車体側との防振連結用として用いた具体例を示した図である。
【図１１】図１０の要部を示した図である。
【図１２】防振ブッシュの圧入組付け方法を模式的に示した図である。
【図１３】図１２の圧入組付け方法の詳細を示した図である。
【発明を実施するための形態】
【００４７】
次に本発明の実施形態を図面に基づいて詳しく説明する。
図４において、２０２はサスペンションアームで、２１８は車体側のブラケットを表している。
これらサスペンションアーム２０２及び車体側ブラケット２１８は、図１０及び図１１に示したものと同様であり、サスペンションアーム２０２は、その端部に円筒形状をなす圧入筒部２０６が一体に構成されている。
【００４８】
また車体側ブラケット２１８は、一対の挟持部２２０とそれらを連結する連結部２２２とを有するコ字形状の保持部２２４を有しており、本実施形態の防振ブッシュ１０における後述の内筒金具１２がそれら挟持部２２０で軸方向に挟み込まれる状態にボルト２２６，ナット２２８にて車体側ブラケット２１８に固定される。
【００４９】
図１〜図３は、防振ブッシュ１０を圧入筒部２０６への圧入前の自由形状状態で示したもので、図３示しているように防振ブッシュ１０は円筒形状をなす内筒金具１２と、その外周面に加硫接着された筒状のゴム弾性体１４とを有している。
ここでゴム弾性体１４は、それぞれが径方向外方に円環状に突出した軸方向一端の第１鍔部１６及び軸方向他端の第２鍔部１８と、それら第１鍔部１６と第２鍔部１８との間の円筒状のゴム本体部２０とを有している。
またゴム本体部２０は、軸方向の中間部が全周に亘り径方向外方に膨出した形状をなしており、その膨出部２２と上記第１鍔部１６及び第２鍔部１８との間の部分が、全周に亘り薄肉部２３をなしていて、その薄肉部２３の外周側に円環状の凹部２４を形成している。
【００５０】
第１鍔部１６は、車両のブレーキ時において図４に示す車体側ブラケット２１８における図中下側の挟持部２２０に当接してストッパ作用をなす部分で、この実施形態では第１鍔部１６は、図１及び図２に示ように周方向の一部分、具体的には車両への取付状態における上部と下部とが、第１鍔部１６の他部よりも軸方向に所定寸法突出した形状をなしており、その突出部分が軸方向の部分的な厚肉部２６をなしている。
【００５１】
ここで上部と下部のそれぞれの厚肉部２６は、図２（Ｂ）に示しているように周方向にθの角度（ここではθ＝９０°）に亘って設けられている。
尚第１鍔部１６における厚肉部２６とは異なった他部の軸方向厚みｔ１はここでは４ｍｍである。
【００５２】
上記膨出部２２は、図２（Ａ）に示しているように大径をなす平坦部２２ａと、平坦部２２ａから凹部２４の底部に向って即ち薄肉部２３に向って径が漸次減少するテーパ状部（径減少部）２２ｂとを有しており、そして平坦部２２ａの軸方向端から凹部２４の底部、具体的にはその底部の軸方向中間部にかけて、軸直角方向に突出した厚肉部２８が周方向において部分的に形成されている。
【００５３】
詳しくはゴム本体部２０の上部と下部（車両組付状態での上部と下部）とに、厚肉部２８が部分的に形成されている。
これら厚肉部２８もまた図２（Ｃ）に示しているように周方向にθの角度（θ＝９０°）に亘ってそれぞれ形成されている。
またこれら厚肉部２８の周方向の中心は、上記第１鍔部１６における部分的な厚肉部２６の周方向の中心と一致せしめられている。
これらゴム本体部２０に形成された部分的な厚肉部２８は、防振ブッシュ１０における上下方向のばね特性を硬くするために形成されている。
【００５４】
防振ブッシュ１０は一方で、左右方向（図１０における左右方向）のばね特性、及び図１０においてサスペンションアーム２０２が矢印Ｐ方向（及びその逆方向）に回動運動したときの、防振ブッシュ１０におけるこじり方向のばね特性を軟らかくすべく、上記の薄肉部２３の外周側に形成される凹部２４の深さ又は／及び軸方向長が大きく、即ち膨出部２２の平坦部２２ａの軸方向長さが通常の防振ブッシュにおけるそれよりも狭くなっている。
【００５５】
ここで防振ブッシュ１０におけるこじり方向のばね特性とは、図５に示しているように防振ブッシュ１０における内筒金具１２が圧入筒部２０６に対して傾動する方向（角度αをなす方向）に相対変位したときのばね特性である。
【００５６】
上記のように上下方向のばね特性を硬くする一方で、左右方向及びこじり方向のばね特性を軟らかくするため、本実施形態では全体として環状の凹部２４の凹部容積が大きくされている。
具体的には、圧入筒部２０６と内筒金具１２に挟まれる部分の容積を１００とした場合、通常は同部分が変形したゴムによって１００％に近い充填率で埋められるが、この実施形態では凹部２４の容積が大きくされていることによって、７０％以下の充填率になっている。
【００５７】
上記第２鍔部１８は、車両発進時において図４に示す車体側ブラケット２１８の図中上側の挟持部２２０に当接してストッパ作用をなす部分で、この実施形態ではそのストッパ作用時におけるストッパ機能を高めるため（早期にストッパ作用させるため）、その全体の軸方向厚みが従来に比べて厚くされている。具体的にはここではその軸方向厚みｔ２が４．１ｍｍとされている。
この種防振ブッシュにおける従来の厚みｔ２は２〜３ｍｍである。
【００５８】
図３（Ｂ）に示しているように、本実施形態ではまた第２鍔部１８が、全周に亘って第１鍔部１６よりも径方向外方に突出した形状とされている。即ち第２鍔部１８の外径Ｄ２が、第１鍔部１６の外径Ｄ１よりも大径とされている。
ここでは圧入筒部２０６への圧入状態において第１鍔部１６の外径Ｄ１＝３４ｍｍに対し、第２鍔部１８の外径Ｄ２＝３６ｍｍとされている。
即ち第２鍔部１８は、第１鍔部１６に対してＤ２とＤ１との差ΔＤ／２（ｔ３）＝１ｍｍだけ第２鍔部１８が第１鍔部１６に対して径方向外方に全周に亘って突出せしめられている。
【００５９】
この実施形態ではまた、図３（Ｂ）に詳しく示しているように第２鍔部１８の軸方向端面に、位置決凸部３０が起立状態に設けられている。
この位置決凸部３０は、防振ブッシュ１０を圧入筒部２０６に対して圧入する際の、圧入筒部２０６に対する防振ブッシュ１０の周方向の位置決用のもので、ここでは位置決凸部３０が１８０°異なった２個所において第２鍔部１８に設けられている。
ここで一対の位置決凸部３０は、内筒金具１２から径方向に離隔した位置から第２鍔部１８の外周端に到るまで径方向に延びている。
従ってこの位置決凸部３０と内筒金具１２との間には空間３２が形成されている。
【００６０】
このように防振ブッシュ１０を圧入筒部２０６に対して圧入する際に、周方向の位置決めをする必要があるのは、図４（Ａ）に示す圧入状態において防振ブッシュ１０における第１鍔部１６の部分的な厚肉部２６，ゴム本体部２０に設けられた部分的な厚肉部２８を、それぞれ車両上下方向における上部と下部とに位置させる必要があるからである。
【００６１】
従って位置決凸部３０は、上記の部分的な厚肉部２６，２８と同じ周方向位置、即ち車両組付状態において一対の位置決凸部３０の一方が上位置に、他方が下位置に位置するように、それら位置決凸部３０が部分的な厚肉部２６，２８と周方向の同じ位置、詳しくは厚肉部２６，２８における周方向の中心位置に配置されている。
尚、図４（Ａ）に示す圧入筒部２０６の外径Ｄ３＝３７ｍｍであり、従って第２鍔部１８の外周端は、圧入状態において圧入筒部２０６の外周端よりも内側に位置した状態となる。
【００６２】
図６〜図８は、図１〜図３に示す防振ブッシュ１０を図４の圧入筒部２０６に圧入組付けして防振ブッシュ１０とサスペンションアーム２０２との組付体を製造する方法の具体例を示している。
図６において、３４は防振ブッシュ１０の押込治具で円形の押圧部３６と、その中心部から延び出した軸部３８とを有している。
押圧部３６には、内筒金具１２の端部を嵌め入れるための円形の凹部４０が設けられ、またこの円形の凹部４０に連続して、防振ブッシュ１０における第２鍔部１８の上記の位置決凸部３０を嵌め入れるための、対応した一対の位置決凹部４２が設けられている。
この押込治具３４にはまた、図７（II）に示しているように押圧部３６に且つ軸部３８周りに磁石４４が埋設されている。
【００６３】
図７に示しているように、この製造方法では先ず押込治具３４を下向きにして、その押込治具３４における軸部３８に防振ブッシュ１０の内筒金具１２を外挿状態に嵌め合せる。
尚このとき、防振ブッシュ１０は第２鍔部１８を上側にして押込治具３４の軸部３８に嵌め合せる。
そして防振ブッシュ１０を図中上向きに押し上げて回転させ、防振ブッシュ１０の一対の位置決凸部３０を、図７（Ｉ）に示しているように押込治具３４の一対の位置決凹部４２に合致させて、位置決凸部３０を位置決凹部４２内部に嵌め入れる。
【００６４】
すると内筒金具１２が磁石４４の磁力で吸着されて、防振ブッシュ１０が押込治具３４に固定され、保持される。
即ち防振ブッシュ１０が、圧入筒部２０６に対して予め定められた周方向の組付位置に位置決めされた状態で、押込治具３４にて保持される。
従ってこの状態で作業者が防振ブッシュ１０から手を離しても、防振ブッシュ１０が押込治具３４から脱落することはない。
【００６５】
以上のようにして防振ブッシュ１０を押込治具３４にて位置決状態に保持したところで、図１２に示す圧入装置２４２にて防振ブッシュ１０を押込治具３４にて圧入筒部２０６に対し、図８中下向きに軸方向に押し込んで圧入する。
このとき、予め設定された圧入ストロークで押込治具３４を下向きに押し込んで圧入を行う。このとき、防振ブッシュ１０は第１鍔部１６を前進側端として圧入筒部２０６に圧入される。
尚この圧入の際、圧入筒部２０６の上側に内面２４５が圧入筒部２０６の圧入孔に向けて漸次縮径したガイド治具２４６をセットしておく。
【００６６】
設定圧入ストローク分だけ防振ブッシュ１０を圧入筒部２０６に対して図中下向きに押し込んで圧入する際、図８（IV）に示しているように図中上側の第２鍔部１８は、図８（Ｖ）に示しているように図中上向きに良好に弾性反り変形し、押込み完了状態でこの第２鍔部１８が、圧入筒部２０６の軸方向外側（図中上側）に残った状態となる。
【００６７】
また一方図中下側の第１鍔部１６は、図８（VI）に示しているように押し込みによって圧入筒部２０６から図中下側に突き出した状態となる。そのように圧入ストロークが、最終的な適正な軸方向の組付位置（圧入筒部２０６に対する組付位置）よりも僅かに過剰なストロークで設定されている。
【００６８】
次に図８（VII）に示しているように、今度は図中下側から上向きに内筒金具２０６に対して設定戻しストロークで圧入戻しを行う。
このときの戻しストロークは数ｍｍ程度の微小なものである。
その結果、図中上向きに弾性反り変形していた第２鍔部１８が、この戻し操作によって形状復帰し、図中下側の第１鍔部１６と図中上側の第２鍔部１８とが、良好に圧入筒部２０６の軸方向の下端面と上端面とに弾性的に密着した状態となる。
尚ガイド治具２４６は、図中下向きの押込み即ち圧入を行った段階でセット位置から取り外しておく。
図４中４８は、以上のようにして防振ブッシュ１０とサスペンションアーム２０２とを組み付けて成る組付体を表している。
【００６９】
図９は本発明の他の実施形態を示している。
この例は、第２鍔部１８を周方向において部分的にのみ第１鍔部１６に対して径方向外方に突出させた例である。
具体的には、ここでは位置決凸部３０に連続する形で、径方向外方への突出部４６を設けている。
この実施形態では、その突出部４６が第１鍔部１６よりも径方向外方に突出しており、従ってこの例においても、防振ブッシュ１０を圧入筒部２０６に対して第１鍔部１６の側から設定圧入ストローク分だけ押し込み圧入したときに、突出部４６が径方向外方に大きく突出していることによって、第１鍔部１８が圧入方向と逆方向に弾性反り変形し、圧入の際に第２鍔部１８が縮径変形して圧入筒部２０６内部に入り込むのを有効に抑制することができる。
尚他の点については上記実施形態と同様である。
【００７０】
この実施形態においては、第１鍔部１６を全周に亘って第１鍔部１６よりも径方向外方に突出させる場合に比べて、第２鍔部１８成形のための材料を節減し、また重量を軽量化できる利点が得られる。
尚ここでは位置決凸部３０に連続する形で突出部４６を設けているが、突出部４６を位置決凸部３０とは別に第１鍔部１８に設けておくといったことも可能である。
【００７１】
以上本発明の実施形態を詳述したがこれはあくまで一例示であり、本発明はその趣旨を逸脱しない範囲において種々変更を加えた形態，態様で構成，実施可能である。
【符号の説明】
【００７２】
１０  防振ブッシュ
１２  内筒金具
１４  ゴム弾性体
１６  第１鍔部
１８  第２鍔部
２０  ゴム本体部
２２  膨出部
２３  薄肉部
２４  凹部
２６，２８  厚肉部
３０  位置決凸部
３４  押込治具
４２  位置決凹部
４４  磁石
４８  組付体
２０２  サスペンションアーム
２０６，２０８  圧入筒部
２４６  ガイド治具
【図１】
0005622467.tif 000002
【図２】
0005622467.tif 000003
【図３】
0005622467.tif 000004
【図４】
0005622467.tif 000005
【図５】
0005622467.tif 000006
【図６】
0005622467.tif 000007
【図７】
0005622467.tif 000008
【図８】
0005622467.tif 000009
【図９】
0005622467.tif 000010
【図１０】
0005622467.tif 000011
【図１１】
0005622467.tif 000012
【図１２】
0005622467.tif 000013
【図１３】
0005622467.tif 000014